(57)【要約】  本発明は、チームプレー球技スポーツ、特にサッカー、ラグビー、ハンドボール又はバスケットボールのようなチームプレー球技スポーツ用のユニフォーム（１）であって、シャツ部分（２）とパンツ（３）とを有していて、該シャツ部分（２）とパンツ（３）とが一体的に形成されている形式のものに関する。このような形式のユニフォームにおいて、魅力的な美しさを保ちながら、快適性レベルを高めかつ取扱いを簡単にするために、本発明の構成では、ユニフォーム（１）がさらにパンツカバー部分（１０）を有していて、該パンツカバー部分（１０）がパンツ（３）及び／又はシャツ部分（２）と結合されているか又は結合可能である。
2008534814.tif 000002
【特許請求の範囲】
【請求項１】
チームプレー球技スポーツ、特にサッカー、ラグビー、ハンドボール又はバスケットボールのようなチームプレー球技スポーツ用のユニフォーム（１）であって、シャツ部分（２）とパンツ（３）とを有していて、該シャツ部分（２）とパンツ（３）とが一体的に形成されている形式のものにおいて、
ユニフォーム（１）がさらにパンツカバー部分（１０）を有していて、該パンツカバー部分（１０）がパンツ（３）及び／又はシャツ部分（２）と結合されているか又は結合可能であることを特徴とするユニフォーム。
【請求項２】
パンツカバー部分（１０）がオーバパンツ（１０）又はオーバコートである、請求項１記載のユニフォーム。
【請求項３】
シャツ部分（２）とパンツ（３）との間における結合装置が解離可能である、請求項１又は２記載のユニフォーム。
【請求項４】
パンツカバー部分（１０）とシャツ部分（２）との間及び／又はパンツカバー部分（１０）とパンツ（３）との間における結合装置が解離可能である、請求項１から３までのいずれか１項記載のユニフォーム。
【請求項５】
シャツ部分（２）とパンツ（３）との間及び／又はパンツカバー部分（１０）とパンツ（３）との間における結合手段が、スライドファスナ（４）として形成されている、請求項３又は４記載のユニフォーム。
【請求項６】
シャツ部分（２）をパンツ（３）と及びパンツカバー部分（１０）をパンツ（３）と結合可能なダブルスライドファスナ又はマルチプルスライドファスナ（４）が設けられている、請求項５記載のユニフォーム。
【請求項７】
シャツ部分（２）をパンツ（３）と及びパンツカバー部分（１０）をシャツ部分（２）と結合可能なダブルスライドファスナ又はマルチプルスライドファスナ（４）が設けられている、請求項５記載のユニフォーム。
【請求項８】
シャツ部分（２）とパンツ（３）との間及び／又はパンツカバー部分（１０）とパンツ（３）との間における結合手段が、面ファスナとして形成されている、請求項３又は４記載のユニフォーム。
【請求項９】
シャツ部分（２）とパンツ（３）との間及び／又はパンツカバー部分（１０）とパンツ（３）との間における結合手段が、ひも式閉鎖装置として形成されている、請求項３又は４記載のユニフォーム。
【請求項１０】
３つの部分つまりシャツ部分（２）とパンツ（３）とパンツカバー部分（１０）とのうちの２つの部分が、互いに結合されたままである、請求項１又は２記載のユニフォーム。
【請求項１１】
３つの部分つまりシャツ部分（２）とパンツ（３）とパンツカバー部分（１０）とのうちの２つの部分が、融着によって互いに結合されている、請求項１０記載のユニフォーム。
【請求項１２】
３つの部分つまりシャツ部分（２）とパンツ（３）とパンツカバー部分（１０）とのうちの２つの部分が、融着又は縫合によって互いに結合されており、融着又は縫合されていない第３の部分が、融着又は縫合されている２つの部分と解離可能な結合装置を用いて結合されている、請求項１から１１までのいずれか１項記載のユニフォーム。
【請求項１３】
シャツ部分（２）とパンツ（３）とが融着又は縫合によって互いに結合されており、パンツカバー部分（１０）が解離可能な結合装置を用いてシャツ部分（２）及びパンツ（３）と結合されている、請求項１、２及び４〜１２までのいずれか１項記載のユニフォーム。
【請求項１４】
シャツ部分（２）とパンツ（３）とパンツカバー部分（１０）とが融着によって互いに結合されたままである、請求項１又は２記載のユニフォーム。
【請求項１５】
シャツ部分（２）とパンツ（３）とパンツカバー部分（１０）との間におけるすべての結合手段（４）もしくは結合装置が、腰部領域（５）の全周に延在している、請求項１から１４までのいずれか１項記載のユニフォーム。
【請求項１６】
シャツ部分（２）とパンツ（３）との間における結合領域に弾性的なベルトが配置されている、請求項１から１５までのいずれか１項記載のユニフォーム。
【請求項１７】
シャツ部分（２）が頚部貫通部（８）を開放するために、少なくとも１つのファスナ（６，７）もしくは閉鎖装置、特にスライドファスナ、面ファスナ又はひも式閉鎖装置を有している、請求項１から１６までのいずれか１項記載のユニフォーム。
【請求項１８】
少なくとも１つのファスナ（６，７）もしくは閉鎖装置が肩部領域に又は脊柱に沿って延在している、請求項１７記載のユニフォーム。
【請求項１９】
肩部領域において頚部貫通部（８）から側方に、２つのファスナ（６，７）、特にスライドファスナが配置されている請求項１７又は１８記載のユニフォーム。
【請求項２０】
頚部領域に弾性的なベルト（９）が配置されている、請求項１から１９までのいずれか１項記載のユニフォーム。
【請求項２１】
パンツ（３）が弾性的な材料から成っていて、装着者の大腿の周りに接触するようにカットされている、請求項１から２０までのいずれか１項記載のユニフォーム。
【請求項２２】
パンツカバー部分（１０）がパンツ（３）よりも長く形成されている、請求項１から２１までのいずれか１項記載のユニフォーム。
【請求項２３】
シャツ部分（２）及び／又はパンツ（３）もしくはパンツカバー部分（１０）に、少なくとも１つの通気開口（１１，１１′，１１′′，１１′′′，１２）が設けられている、請求項１から２２までのいずれか１項記載のユニフォーム。
【請求項２４】
シャツ部分（２）及び／又はパンツ（３）が高弾性材料から成っている、請求項１から２３までのいずれか１項記載のユニフォーム。
【発明の詳細な説明】
【技術分野】
【０００１】
本発明は、チームプレー球技スポーツ、特にサッカー、ラグビー、ハンドボール又はバスケットボールのようなチームプレー球技スポーツ用のユニフォームであって、シャツ部分とパンツとを有していて、該シャツ部分とパンツとが一体的に形成されている形式のものに関する。
【０００２】
ＵＳ３７９０９６３には、シャツ部分とパンツとを備えた一体的なスポーツウエアが開示されている。腰部領域には弾性的なベルトが設けられていて、これによってスポーツウエアが身体に接触するようになっている。スポーツウエアもしくはユニフォームの着脱のためには、頚部領域から鉛直方向で下方に胸部領域を越えて延びる面ファスナが使用される。
【０００３】
冒頭にのべた形式のスポーツウエアもしくはユニフォームは、例えばＣＨ５１５６９３にも開示されている。ユニフォームはこの場合２つの部分つまりシャツ部分とパンツとから成っており、そして両部分はベルトライン又はウエストの領域において互いに縫い合わせられている。
【０００４】
前記形式の公知のユニフォーム部分は、今日必要とされるもしくは望まれる装着快適性及び使用快適性に対する要求を一部しか満たしていない。
【０００５】
ゆえに本発明の課題は、冒頭に述べた形式のユニフォームを改良して、快適性に関して高いレベルを有していて、しかも簡単に取り扱うことができるようにすることである。さらにユニフォームには魅力的な美しさも望まれる。さらにまた、ユニフォームの製造が経済的に可能であり、ひいては安価であることも望まれている。
【０００６】
この課題を解決するために本発明の構成では、ユニフォームがさらにパンツカバー部分を有していて、該パンツカバー部分がパンツ及び／又はシャツ部分と結合されているか又は結合可能であるようにした。
【０００７】
この場合パンツカバー部分がオーバパンツ又はオーバコートとして形成されていると有利である。
【０００８】
別の有利な構成では、シャツ部分とパンツとの間における結合装置が解離可能である。同様に有利な別の構成では、パンツカバー部分とシャツ部分との間及び／又はパンツカバー部分とパンツとの間における結合装置が解離可能である。
【０００９】
このように構成されていると、公知の解決策とは異なり前記部分の間に縫合部が設けられている場合に、ユニフォームの着脱を簡単にすることができる。
【００１０】
本発明の別の有利な構成では、シャツ部分とパンツとの間及び／又はパンツカバー部分とパンツとの間における結合手段が、スライドファスナとして形成されている。この場合特殊な構成では、シャツ部分をパンツと及びパンツカバー部分をパンツと結合可能なダブルスライドファスナ又はマルチプルスライドファスナが設けられている。さらにまた、シャツ部分をパンツと及びパンツカバー部分をシャツ部分と結合可能なダブルスライドファスナ又はマルチプルスライドファスナが設けられている構成も可能である。
【００１１】
本発明の択一的な構成では、シャツ部分とパンツとの間及び／又はパンツカバー部分とパンツとの間における結合手段が、面ファスナとして形成されている。
【００１２】
さらに別の択一的な構成では、シャツ部分とパンツとの間及び／又はパンツカバー部分とパンツとの間における結合手段が、ひも式閉鎖装置として形成されている。
【００１３】
既に述べたように、ユニフォームの全部で３つの部分つまりシャツ部分とパンツとパンツカバー部分とのうちの少なくとも２つの部分が、前記結合手段を用いて互いに解離可能に結合されているもしくは結合可能であると、有利である。このような形式の結合が、３つの部分のうちの２つに制限されていて、第３の部分が、他の２つの部分のうちの１つと解離不能に固定されているような構成が、有利な場合もある。従って本発明の別の構成では、３つの部分つまりシャツ部分とパンツとパンツカバー部分とのうちの２つの部分が、互いに結合されたままである。この場合、この持続的な結合部が融着又は縫合によって形成されていると、特に有利である。
【００１４】
このコンセプトの特に有利な構成では、３つの部分つまりシャツ部分とパンツとパンツカバー部分とのうちの２つの部分が、融着又は縫合によって互いに結合されており、融着又は縫合されていない第３の部分が、融着又は縫合されている２つの部分と解離可能な結合装置を用いて結合されている。この場合特に、シャツ部分とパンツとが融着又は縫合によって互いに結合されており、パンツカバー部分が解離可能な結合装置を用いてシャツ部分及びパンツと結合されていると、有利である。
【００１５】
本発明の択一的な構成では、シャツ部分とパンツとパンツカバー部分とが融着によって互いに結合されたままである。この場合ユニフォームはただのワンピースになる。融着部はユニフォームの腰部領域を延在していて、３つの部分すべては互いに堅く結合されている。
【００１６】
上に述べたすべての解決策のために有利な構成では、シャツ部分とパンツとパンツカバー部分との間におけるすべての結合手段もしくは結合装置が、腰部領域の全周に延在している。
【００１７】
ユニフォームの特に良好な装着感を保証するために、本発明の別の構成では、シャツ部分とパンツとの間における結合領域に弾性的なベルトが配置されている。
【００１８】
シャツ部分が頚部貫通部を開放するために、少なくとも１つのファスナもしくは閉鎖装置、特にスライドファスナ、面ファスナ又はひも式閉鎖装置を有していると、ユニフォームの着脱が容易になる。この場合少なくとも１つのファスナもしくは閉鎖装置が肩部領域に又は脊柱に沿って延在していると、有利である。さらに、肩部領域において頚部貫通部から側方に、２つのファスナ、特にスライドファスナが配置されていると、有利である。
【００１９】
また、頚部領域に弾性的なベルトが配置されていると有利である。さらに別の有利な構成では、パンツが弾性的な材料から成っていて、装着者の大腿の周りに接触するようにカットされている。このように構成されていると、軽い圧迫を加えられることによってプレーヤの大腿筋はサポートされ、暖かく保たれる。これによってまた、敵側のプレーヤがパンツを掴むことが、困難になり、有利である。
【００２０】
パンツカバー部分は有利にはパンツよりも長く形成されており、この場合つまりパンツはパンツカバー部分を越えて下から出ていない。本発明の別の有利な構成では、シャツ部分及び／又はパンツもしくはパンツカバー部分に、少なくとも１つの通気開口が設けられている。これによって最適な通気が保証される。通気開口は例えばシャツ部分に配置されていて、ほぼ水平に延びている。通気開口がパンツ又はパンツカバー部分に配置されている場合には、視覚的な理由から、通気開口がパンツもしくはパンツカバー部分の側部領域に配置されていて、ほぼ鉛直方向に延びていると、有利である。
【００２１】
シャツ部分及び／又はパンツもしくはパンツカバー部分のための材料としては、高弾性材料が有利であり、このようになっていると、ユニフォームはプレーヤの身体にぴったりと接触し、敵側のプレーヤが、ユニフォームを掴むことやユニフォームを引き裂くことが特に困難になり、有利である。このような糸材料はさらにその弾性に基づいてプレーヤの可動性を高める。それというのは、ユニフォームはプレーヤの運動に対しては僅かな抵抗しか加えないからである。有利な弾性特性をもつ糸は、例えば「Elasthan」又は「Lycra」という商品登録名で知られている。
【００２２】
ユニフォームは本発明によれば一体的に形成されており、つまりシャツ部分とパンツ／パンツカバー部分とが互いに結合されているにもかかわらず、シャツ部分とパンツもしくはパンツカバー部分とを互いに異なった色で形成することができ、ひいては、２部分（シャツ部分とパンツ）から形成されているクラシカルなユニフォームであるかのような、視覚的な印象を与えることができる。従って、知られているデザインを放棄することなしに、本発明によるユニフォームの有利な機能を利用することができる。
【００２３】
また本発明による解決策によって有利な形式で、プレーヤがユニフォームを掴むことが困難になり、これはチームプレー球技スポーツにおいて極めて有利である。さらに、ユニフォームの装着のための規則に関するプレー基準を維持することが容易になる。ユニフォームは特に、荒っぽいプレー条件下においても規則通りのポジションに留まる。しかもその際にプレーヤはそれに対して特別な配慮をする必要がない。さらに、問題になるほとんどすべての条件下においてもユニフォームの最適な装着感が得られ、このことは、いわゆるコマーシャル坦体としてのユニフォームとの関連においても重要である。
【００２４】
本発明による解決策によって、ユニフォームの使用快適性及び装着快適性が高められる。それというのは、有利にはすべて３つの部分（パンツ、パンツカバー部分及びシャツ部分）のうちの少なくとも２つの部分が互いに解離可能に結合されているからである。パンツカバー部分が設けられていることによって、衛生面でも高いレベルを簡単に維持することができる。それというのは、必要とあれば例えば複数部分（パンツ、パンツカバー部分及びシャツ部分）のうちの１つだけを交換してクリーニングすることができるからである。
【００２５】
次に図面を参照しながら本発明の１実施例を説明する。
【００２６】
図１は、サッカー用ユニフォームを示す正面図であり、
図２は、サッカー用ユニフォームを示す側面図であり、
図３は、サッカー用ユニフォームを示す背面図であり、
図４ａは、図１のＡ−Ｂ線に沿って断面してサッカー用ユニフォームの腰部領域を示す図であり、
図４ｂは、図４ａに示された実施形態に対する択一的な構成を示す図である。
【００２７】
ユニフォーム１（図１〜図３参照）は、実施例ではサッカー用ユニフォームとして形成されており、上半身用のシャツ部分２と、パンツ３と、オーバパンツとして形成されたパンツカバー部分１０とから成っており、これらは互いに結合されている。結合装置は図示の実施例ではスライドファスナ４として形成されていて、このスライドファスナ４は腰部領域５に延在しており、つまりスライドファスナ４は完全に腰の周りを取り囲んで延在している。この領域５には、図示されていないが、弾性的なゴムベルトが一緒にユニフォーム１に組み込まれ、例えば縫い込まれている。これによってユニフォーム１がプレーヤの腰部領域５において固定されることが保証される。さらにこのユニフォーム１では、同様に図１には示されていないが、手による調整のためにひもが設けられている。
【００２８】
ユニフォーム１の着脱は、スライドファスナ４のところで互いに切り離された部分（シャツ部分２とパンツ３及びパンツカバー部分１０）を着ることによって行うことができ、両部分は、ウエアを着た後でスライドファスナ４を用いて互いに結合される。
【００２９】
択一的に、ユニフォーム１の着脱を次のように行うこともできる。すなわち頚部貫通部８の側部に設けられた、肩領域において側方に延びる２つのスライドファスナ６，７を使用することも可能である。この場合には、スライドファスナ６，７を開放しておいて、着用者は、（パンツ３／オーバパンツ１０とシャツ部分２とが結合された状態で）、頚部貫通部８の領域における拡大された開口部に足から入ってユニフォーム１の中に達し、このようにしてユニフォーム１を着ることができる。プレーヤがユニフォーム１を着用した後で、スライドファスナ６，７は閉鎖され、これによってユニフォーム１はプレーヤの身体にフィットする。頚部領域に弾性的なベルト９が配置されていると、フィット感が改善される。
【００３０】
パンツ３の上に、図示の実施例ではオーバパンツとして形成されたパンツカバー部分１０が設けられていることが、重要である。オーバパンツ１０はパンツ３と結合されているか又は結合可能である。パンツ３もしくはオーバパンツ１０とシャツ部分２との間に解離可能な結合装置が設けられているのと同様に、パンツ３とオーバパンツ１０との間にも解離可能な結合装置が設けられていると、有利である。
【００３１】
解離可能な結合装置としては有利にはスライドファスナ、面ファスナ又はひも式閉鎖装置を使用することができ、さらにその他の解離可能な結合装置も可能である。それに対して図示の実施例では解離不能な結合装置は設けられていない、つまり少なくとも３つのすべての部分（パンツ３、オーバパンツ１０及びシャツ部分２）は互いに縫い合わされているのではない。しかしながら、３つの部分（パンツ３、オーバパンツ１０及びシャツ部分２）のうちの２つが、互いに解離不能に結合され、特に融着又は縫合によって結合されていて、第３の部分が解離可能に取り付けられているような構成も可能である。
さらに、結合装置の別の組合せも可能である。例えばオーバパンツ１０がパンツ３に面ファスナを用いて固定されていて、これによって生じたパンツ３とオーバパンツ１０とから成るユニットと、シャツ部分２との間における結合装置が、スライドファスナを用いて固定されるようになっていてもよい。
【００３２】
ユニフォーム１の通気を改善するために、通気開口１１，１１′，１１′′，１１′′′，１２が設けられている。シャツ部分２に配置された通気開口１１，１１′，１１′′，１１′′′は、図示の実施例ではほぼ水平に延びていて、シャツ部分２の両側に配置されている。
【００３３】
オーバパンツ１０にはパンツ両側にそれぞれ１つの通気開口１２が配置されており、これらの通気開口１２はほぼ垂直に延びている。
【００３４】
通気開口１１，１１′，１１′′，１１′′′，１２は図示の実施例ではシャツ部分２もしくはオーバパンツ１０に切込みもしくは切欠きとして形成されており、その下には、通気性の良い薄手の素材が配置されている。
【００３５】
ユニフォーム１は短い又は長い袖１３を有しており、図示の実施例は短い袖、いわゆる半袖の実施例を示している。
【００３６】
図４には、シャツ部分２とパンツ３とオーバパンツ１０との結合がどのように行われているかを示す２つの実施例が示されている。
【００３７】
図４ａの実施例では、縫い目１４を用いてパンツ３に堅く配置されたスライドファスナ４が設けられている。このスライドファスナ４はダブルスライドファスナとして形成されている。上側のスライドファスナ４ａはパンツ３とシャツ部分２とを結合している。下側の別のスライドファスナ４ｂはオーバパンツ１０とパンツ３とを結合している。
【００３８】
同様に、ダブルスライドファスナがシャツ部分２に縫い付けられていて、スライドファスナ４ａ，４ｂを用いてパンツ３とオーバパンツ１０とが固定されているような構成も可能である。
【００３９】
図４ｂに示された択一的な実施形態では、スライドファスナは全部で３つの部分スライドファスナを有しており、つまり上側のスライドファスナ４ａと下側のスライドファスナ４ｂと第３のスライドファスナ４ｃとを有している。上側のスライドファスナ４ａはシャツ部分２をスライドファスナ４自体と結合している。スライドファスナ４の下側において、下側のスライドファスナ４ｂはオーバパンツ１０をスライドファスナ４と結合し、かつ第３のスライドファスナ４ｃはパンツ３をスライドファスナ４と結合している。
【００４０】
このような構成によって、ユニフォーム１の個々の部分の交換の極めてフレキシブルな可能性が得られる。
【００４１】
付言すれば、図４ａ及び図４ｂに示されたスライドファスナによる結合装置の一部の代わりに、他の解離可能な結合手段（面ファスナ、ひも式閉鎖装置）又は解離不能な結合手段（融着、縫合）を組み合わせて使用することも可能である。
【図面の簡単な説明】
【００４２】
【図１】サッカー用ユニフォームを示す正面図である。
【図２】サッカー用ユニフォームを示す側面図である。
【図３】サッカー用ユニフォームを示す背面図である。
【図４ａ】図１のＡ−Ｂ線に沿って断面してサッカー用ユニフォームの腰部領域を示す図である。
【図４ｂ】図４ａに示された実施形態に対する択一的な構成を示す図である。
【符号の説明】
【００４３】
１  ユニフォーム、  ２  シャツ部分、  ３  パンツ、  ４  スライドファスナ、  ４ａ  上側のスライドファスナ、  ４ｂ  下側のスライドファスナ、  ４ｃ  第３のスライドファスナ、  ５  腰部領域、  ６  スライドファスナ、  ７  スライドファスナ、  ８  頚部貫通部、  ９  弾性的なベルト、  １０  パンツカバー部分（オーバパンツ）、  １１  通気開口、  １１′  通気開口、  １１′′  通気開口、  １１′′′  通気開口、  １２  通気開口、  １３  袖、  １４  縫い目
【図１】
2008534814.tif 000003
【図２】
2008534814.tif 000004
【図３】
2008534814.tif 000005
【図４ａ】
2008534814.tif 000006
【図４ｂ】
2008534814.tif 000007
【国際調査報告】
2008534814.tif 000008
2008534814.tif 000009
2008534814.tif 000010
2008534814.tif 000011
2008534814.tif 000012
2008534814.tif 000013